(57)【要約】【課題】荷物を段積みしてなる積載物の該荷物を巻付体によって結束した状態から、該巻付体を積載物から取り外す際において、巻付体の取り外しを一人で行っても、巻付体を落とさないで取り外すことができる補助具を提供する。【解決手段】補助具１０を、積載物１のコーナー部分で隣接する荷物１Ａの間に差し込まれる差込み部１２と、積載物１のコーナー部分を構成する一側の面及び他側の面に接当する一対の接当部１３と、前記巻付体２の端部を係止する係止部１５とを備えて構成する。【選択図】図１
2005082204.tif 000002
【特許請求の範囲】
【請求項１】
荷物（１Ａ）を段積みしてなる積載物（１）に巻き付けて該積載物（１）の荷崩れを防止する巻付体（２）に使用される補助具であって、
積載物（１）のコーナー部分で隣接する荷物（１Ａ）の間に差し込まれる差込み部（１２）と、積載物（１）のコーナー部分を構成する一側の面及び他側の面に接当する一対の接当部（１３）と、前記巻付体（２）の端部を係止する係止部（１５，１６）とを備えていることを特徴とする荷崩れ防止用巻付体に使用される補助具。
【請求項２】
荷物（１Ａ）を段積みしてなる積載物（１）に巻き付けて該積載物（１）の荷崩れを防止する巻付体（２）に使用される補助具であって、
積載物（１）のコーナー部分で隣接する荷物（１Ａ）の間に差し込まれる差込み部（１２）と、積載物（１）のコーナー部分を構成する一側の面及び他側の面に接当し且つコーナー部分で隣接する荷物（１Ａ）に亘って接当する一対の接当部（１３）とを備えていることを特徴とする荷崩れ防止用巻付体に使用される補助具。
【請求項３】
巻付体（２）の端部を係止する係止部（１５，１６）を備えていることを特徴とする請求項２に記載の荷崩れ防止用巻付体に使用される補助具。
【請求項４】
巻付体（２）の、積載物（１）コーナー部分に沿う方向の移動を規制する規制部（２８）を備えていることを特徴とする請求項１〜３のいずれかに記載の荷崩れ防止用巻付体に使用される補助具。
【発明の詳細な説明】
【技術分野】
【０００１】
本発明は、荷物を段積みしてなる積載物に巻き付けて該積載物の荷崩れを防止する巻付体に使用される補助具に関するものである。
【背景技術】
【０００２】
例えば、各種の物品を梱包又は収容した段ボール箱、コンテナ、ケース等の箱状の荷物１Ａを運搬等する場合、図７（ａ）に示すように、荷物１Ａを水平方向で縦横に（前後左右に）配置して矩形状にすると共に、該矩形状に配置した荷物１Ａを上下方向に段積みした積載物１として運搬等する。
この積載物１は、荷揚げや荷下ろし又はトラック等の輸送手段での輸送中等に、荷崩れを起こす惧れがあり、この積載物１の荷崩れを防止するために、積載物１に、バンド又は紐状体等からなる巻付体２を巻き付けて、積載物１の荷崩れを防止するようにしている。
【０００３】
この巻付体２として、図７（ａ）及び（ｂ）に示すようなものがある。
この巻付体２は、積載物１の複数段の荷物１Ａに跨がる幅に形成され且つ積載物１に水平方向で巻き付け可能な長さに形成された本体バンド３を有する。
この本体バンド３の長手方向一端側及び他端側には、保形部材４と、該本体バンド３の一端側と他端側とを相互に固定する面ファスナー等の固定手段５と、紐状部材をループ状に形成してなる取手６とが設けられ、さらに、本体バンド３の長手方向一端側には、スリット７が設けられている。
【０００４】
この巻付体２で荷物１Ａを結束する場合、本体バンド３の他端側を、上下方向で隣接する荷物１Ａの間に挟み込んで仮止めし、その後、積載物１に本体バンド３を水平方向で一周させて巻き付け、一方の手で本体バンド３の長手方向一端側の取手６を持つと共に、スリット７から他方の手を通して本体バンド３の長手方向他端側（仮止め側）の取手６を持ち、本体バンド３の長手方向両端側を重ね合わせるようにして該本体バンド３を引き締めると共に、本体バンド３の長手方向両端側の面ファスナー５を重ね合わせて本体バンド３の長手方向両端側同志を相互に固定する。
【０００５】
また、例えば、幅１０ｍｍ〜２０ｍｍといった比較的幅狭なＰＰバンド等の巻付体２又は紐状の巻付体２を積載物１に水平方向で巻き付け、該巻付体２の長手方向の一端側と他端側とを、固定手段により又は結ぶことにより、相互に固定するようにして、前記積載物１の荷物１Ａを結束する場合もある。
【特許文献１】特開平７−１４９３６４号公報
【発明の開示】
【発明が解決しようとする課題】
【０００６】
前述した図７に示す巻付体２で荷物１Ａを結束して積載物１を運搬した後、巻付体２を積載物１から取り外す際において、一人で作業する場合、積載物１に対する巻付体２の固定を解除して該巻付体２を下に落とした後、巻付体２を巻き取る又は折り畳むようにしているが、このとき、積載物１を載置するパレット８の載置面が汚れている場合には、巻付体２を汚してしまうという問題がある。
また、巻付体２を下に落とさないで、該巻付体２の取り外し作業を一人で行うのは困難である。
【０００７】
また、ＰＰバンド等の巻付体２又は紐状の巻付体２で前記積載物１の荷物１Ａを結束する場合にあっては、積載物１の１つの段の荷物１Ａしか結束できないものであり、隣接する複数の段の荷物１Ａを結束するということはできない。
本発明は、前記荷崩れ防止用の巻付体に使用される補助具であって、前述した問題を解決できる補助具を提供することを目的とする。
【課題を解決するための手段】
【０００８】
本発明が前記目的を達成するために講じた技術的手段は、荷物を段積みしてなる積載物に巻き付けて該積載物の荷崩れを防止する巻付体に使用される補助具であって、
積載物のコーナー部分で隣接する荷物の間に差し込まれる差込み部と、積載物のコーナー部分を構成する一側の面及び他側の面に接当する一対の接当部と、前記巻付体の端部を係止する係止部とを備えていることを特徴とする。
また、他の技術的手段は、荷物を段積みしてなる積載物に巻き付けて該積載物の荷崩れを防止する巻付体に使用される補助具であって、
積載物のコーナー部分で隣接する荷物の間に差し込まれる差込み部と、積載物のコーナー部分を構成する一側の面及び他側の面に接当し且つコーナー部分で隣接する荷物に亘って接当する一対の接当部とを備えていることを特徴とする。
【０００９】
また、前記構成において、巻付体の端部を係止する係止部を備えているのがよい。
また、前記構成において、巻付体の、積載物コーナー部分に沿う方向の移動を規制する規制部を備えているのがよい。
【発明の効果】
【００１０】
荷物を段積みしてなる積載物の該荷物を巻付体によって結束した後、該巻付体を積載物から取り外す際において、本発明による補助具を使用すれば、巻付体の取り外しを一人で行っても、巻付体を落とさないで取り外すことができる。
また、比較的幅狭のバンドや紐状の巻付体で積載物の荷物を結束する場合であっても、隣接する複数の段の荷物を結束することができる。
【発明を実施するための最良の形態】
【００１１】
以下、本発明の実施の形態を図面を参照して説明する。
図１及び図２において、１は、段ボール箱等の箱状の荷物１Ａを段積みしてなる積載物１（図７（ａ）参照）に巻き付けて該積載物１の荷崩れを防止する巻付体２に使用される補助具１０である。
この補助具１０は、金属製の板材によって形成されており、正面側に縦向きに配置された正面壁１１と、この正面壁１１の背面側に横向きに配置された差込み部１２とを有する。
【００１２】
前記正面壁１１は、左右方向に長い平板状の帯板材の左右方向中央部を、平面視で略直角に折曲することで、正面側に凸となる平面視山形状に形成されており、積載物１のコーナー部分に配置されることにより、その背面が該コーナー部分を構成する一側の面及び他側の面に接当するように構成されており、この正面壁１１の左右方向中央部から長手方向一方側が積載物１のコーナー部分を構成する一側の面に接当する接当部１３とされ、正面壁１１の左右方向中央部から長手方向他方側が積載物１のコーナー部分を構成する他側の面に接当する接当部１３とされている。
【００１３】
この正面壁１１の各接当部１３には、それぞれ２種の係止部１５，１６が設けられている（正面壁１１の左右方向端部側の係止部を第１係止部１５といい、正面壁１１の左右方向中央側の係止部を第２係止部１６という）。
第１係止部１５は、図７に示すような巻付体２の長手方向端部側を係止する（巻付体２の長手方向端部側に設けられた取手６を引っ掛ける）ものであり、第２係止部１６は、ＰＰバンド等の比較的幅狭のバンドからなる巻付体２の長手方向の端部を係止するものである。
【００１４】
第１係止部１５は、正面壁１１の上下方向中央部に設けられており、正面壁１１に厚さ方向貫通状に形成された開口部１７内に、正面壁１１の長手方向端部側から中央側に向けて延びるように形成されている。
第２係止部１６は、正面壁１１の上下方向中央部で且つ正面壁１１の長手方向に間隔をおいて形成された厚さ方向貫通状の矩形状の挿通孔１９，２０，２１によって形成された第１係合部２２と第２係合部２３とから構成されている。
第１係合部２２は、正面壁１１の長手方向中央部（屈曲部分）に形成された第１挿通孔１９と、この第１挿通孔１９の、正面壁１１長手方向端部側に間隔をおいて形成された第２挿通孔２０とによって形成されており（第１挿通孔１９と第２挿通孔２０との間に設けられており）、第２係合部２３は、前記第２挿通孔２０と、この第２挿通孔２０の、正面壁１１長手方向端部側に間隔をおいて形成された第３挿通孔２１とによって形成されている（第２挿通孔２０と第３挿通孔２１との間に設けられている）。
【００１５】
本実施の形態では、前記第１、２係止部１５，１６は正面壁１１に開口部１７、挿通孔１９，２０，２１を形成することにより形成されているので、正面壁１１の正面及び背面から突出しないようになっている（正面壁１１と面一状に形成されている）。
差込み部１２は、正面壁１１を積載物１のコーナー部分に配置するときに、該コーナー部分で隣接する荷物１Ａの間に差し込まれるものであり、この差込み部１２を荷物１Ａの間に差し込むことにより、補助具１０を積載物１に対して保持させることができる。
差込み部１２は、平面視三角形状を呈し、正面壁１１の背面側に、横向きで且つ正面壁１１の接当部１３間の背面側に収まるように形成され、正面壁１１の背面に対応する縁部がスポット溶接等によって正面壁１１に固定されている。
【００１６】
また、差込み部１２は、正面壁１１の上下方向中央部に配置されていて、一対の接当部１３は差込み部１２から上下に延出するように設けられており、差込み部１２を荷物１Ａの間に差し込んだときに、各接当部１３は、隣接する荷物１Ａに亘って接当するように構成されている。
この差込み部１２の正面壁１１に接合される縁部１２ａの、前記第１係止部１５及び開口部１７に対応する部分には、第１の切欠き部２５が形成されていて、差込み部１２と第１係止部１５及び開口部１７との間に、巻付体２の取手６を第１係止部１５に引っ掛け得るように、隙間が形成されている。
【００１７】
また、差込み部１２の正面壁１１に接合される縁部１２ａの、前記第２係止部１６及び第１〜３挿通孔１９，２０，２１に対応する部分は第２の切欠き部２６が形成されていて、差込み部１２と第２係止部１６及び第１〜３挿通孔１９，２０，２１との間に、巻付体２の長手方向端部を第２係止部１６に係止し得るように、隙間が形成されている。
また、第２の切欠き部２６は、円弧状に凹設されていると共に、左右の第２の切欠き部２６は正面壁１１の長手方向中央部で連続状とされている。
なお、差込み部１２には、軽量化を図るための開口２７が形成されている。また、前記補助具１０の角はすべて面取りされるのが好ましい。
【００１８】
次に、補助具１０を図７に示す巻付体２に使用する場合について説明する。
図２（ａ）、（ｂ）に示すように、補助具１０を積載物１の水平方向に直交する面で構成される四隅のコーナー部分の内の一つのコーナー部分に配置すると共に、差込み部１２を該コーナー部分において上下方向で隣接する段の荷物１Ａ間に差し込んで、左右両側の接当部１３を該コーナー部分を構成する一側の面及び他側の面に接当させる。
次に、一方の第１係止部１５に巻付体２の長手方向一端側の取手６を引っ掛けると共に、該巻付体２を水平方向で積載物１に一周させて巻き付け、その後、巻付体２の長手方向両端側を重ね合わせるようにして該巻付体２を引き締めると共に、巻付体２の長手方向両端側の面ファスナーを重ね合わせて巻付体２の長手方向端部側同志を相互に固定する。
【００１９】
このとき、巻付体２を引っ張っても、取手６を引っ掛けた側と異なる側の接当部１３が積載物１に面接触して接当しているので、補助具１０が積載物１から外れることはない。
また、巻付体２を積載物１から取り外す際にあっては、巻付体２の長手方向一端側の取手６が補助具１０の第１係止部１５に引っ掛かっており、該巻付体２の長手方向一端側が下に落ちることがないので、巻付体２の長手方向他端側を持って、該巻付体２の他端側から、該巻付体２を巻いていく又は折り畳んでいくこと等によって、該巻付体２を下に落とすことなく積載物１から取り外すことができ、巻付体２を取り外すときに下に落として汚してしまうということがない。
【００２０】
なお、前記巻付体２を積載物１に一周させて締め付ける際において、一方の手で巻付体２の長手方向一端側の取手６を持つと共に、スリット７から他方の手を通して巻付体２の長手方向他端側の取手６を持ち、巻付体２の長手方向両端側を重ね合わせるようにして該巻付体２を引き締めると共に、巻付体２の長手方向両端側の面ファスナーを重ね合わせて巻付体２の長手方向両端側同志を相互に固定するようにしてもよい。
この場合は、前記巻付体２を積載物１から取り外す際において、一方の取手６を第１係止部１５に引っ掛け直すようにすればよい。
【００２１】
図例では、巻付体２を水平方向で積載物１に巻く場合について説明したが、巻付体２を上下方向で積載物１に一周させて巻く場合は、補助具１０を積載物１の上面と水平方向に直交する面とで構成されるコーナー部分に配置して、差込み部１２を該コーナー部分において水平方向で隣接する荷物１Ａ間に差し込んで、該補助具１０の一方の接当部１３を積載物１の上面に接当させ、他方の接当部１３を水平方向に直交する面に接当させる。
次に、補助具１０を比較的幅狭のバンド（ＰＰバンド等）からなる巻付体２に使用する場合について説明する。
【００２２】
この場合は、図３及び図４に示すように、補助具１０を積載物１の水平方向に直交する面で構成される４隅の各コーナー部分にそれぞれ配置して、各補助具１０の差込み部１２を上下方向で隣接する段の荷物１Ａ間に差し込む。
次に、図５（ａ）に示すように、巻付体２の長手方向一端側を、以下に説明する手順で一方の第２係止部１６に係止させる。
この巻付体２の長手方向一端側を第２係止部１６に係止させる手順は、先ず、巻付体２の長手方向一端側を第３挿通孔２１に外側（正面側）から内側（背面側）に挿通させた後、第１挿通孔１９に内側から外側に挿通させる。
【００２３】
このとき、第２の切欠き部２６が円弧状に凹設されているので、巻付体２の端部を第３挿通孔２１から第１挿通孔１９へと案内するガイド機能を有する。
次に、巻付体２の長手方向一端側を、折り返して第２挿通孔２０に外側から内側に挿通させた後、第３挿通孔２１に内側から外側に挿通させる。
これにより、巻付体２の長手方向一端側が第２係止部１６に係止され、巻付体２の他端側を矢示Ａ方向に引っ張っても外れることはない。
次に、巻付体２を水平方向で積載物１に一周させて各補助具１０に亘るように巻き付ける。
【００２４】
このとき、正面壁１１の左右方向中央部の屈曲部分に第１挿通孔１９が形成されていることから、図５（ｂ）に示すように、巻付体２が第１挿通孔１９内に入り込み、巻付体２が第１挿通孔１９内に入り込むことにより、第１挿通孔１９の下縁によって巻付体２の下方移動が規制され（巻付体２が下方に落ちるのが防止され）、巻付体２の位置が規制できる（位置決めできる）ようになっている。
この第１挿通孔１９の上下の縁部によって、巻付体２の、積載物１コーナー部分に沿う方向の移動を規制する規制部２８とされている。
【００２５】
次に、巻付体２の長手方向他端側を、第３挿通孔２１に外側から内側に挿通させた後、第１挿通孔１９に内側から外側に挿通させ、この状態で、巻付体２の長手方向他端側を引っ張って引き締めて、荷物１Ａを結束固定すると共に、前記と同じようにして第２係止部１６に巻付体２の長手方向他端側を係止させる係止させる。
また、補助具１０を紐状の巻付体２に使用する場合にあっては、前記と同様に、補助具１０を積載物１の水平方向に直交する面で構成される４隅の各コーナー部分にそれぞれ配置して、各補助具１０の差込み部１２を上下方向で隣接する段の荷物１Ａ間に差し込む。
【００２６】
そして、巻付体２を４つの補助具１０に亘るように積載物１に水平方向で巻き付けて長手方向端部側同志を結ぶことにより荷物１Ａを結束する。
補助具１０の各接当部１３は、隣接する上下の段の荷物１Ａに亘って接当しているので、ＰＰバンドのような比較的幅狭の巻付体２又は紐状の巻付体２によって荷物１Ａを結束する場合であっても、上下方向で隣接する２段の荷物１Ａを同時に結束することができる。
なお、前記幅狭の巻付体２又は紐状の巻付体２で荷物１Ａを結束する場合において、補助具１０を積載物１の４隅の各コーナー部分にそれぞれ配置するのが好ましいが、補助具１０を必ずしも４隅の各コーナー部分に配置する必要はなく、３箇所又はコーナー部分の対角線上の２箇所に配置するようにしてもよい。
【００２７】
本実施の形態の補助具１０にあっては、第１係止部１５、第２係止部１６、規制部２８を備えていることにより、多種類の巻付体２に対応することができるが、例えば、補助具１０を、図７に示すような巻付体２について専用で使用する場合は、第２係止部１６及び規制部２８は必要ではなく、この場合、第２係止部１６及び規制部２８は設けなくてもよい。
また、補助具１０を、ＰＰバンド等の比較的幅狭のバンドからなる巻付体２について専用で使用する場合は、第１係止部１５は必要ではなく、この場合、第１係止部１５は設けなくてもよい。
【００２８】
また、補助具１０を、紐状の巻付体２について専用で使用する場合は、第１係止部１５及び第２係止部１６は必要ではなく、この場合、第１係止部１５及び第２係止部１６は設けなくてもよく、差込み部１２と一対の接当部１３と規制部２８のみを備えた補助具１０であってもよい。
また、規制部２８は必ずしも必要ではなく省略してもよい。
また、第１係止部１５は少なくとも一つ設けられていればよい。
また、接当部１３は、３段以上の荷物に亘って接当させるように構成してもよい。
【００２９】
また、荷物１Ａが、ビール瓶等を収容して運搬するためのケースである場合、本実施の形態のような差込み部１２の形状では、該差込み部１２を上下のケース間に差し込めない。
そこで、この場合は、図６に示すように、差込み部１２をケースのコーナー部分に沿うようなＶ字形に形成するのが好ましい。
また、補助具１０は合成樹脂によって一体形成してもよいが、本実施の形態のように、金属板材によって形成する方が安価に形成することができる。
【００３０】
その他、前記補助具１０は、本実施の形態に限定されることはなく、種種設計変更可能である。
【図面の簡単な説明】
【００３１】
【図１】（ａ）は補助具の平面一部断面図、（ｂ）は補助具の正面図である。
【図２】（ａ）は積載物の荷物の間に補助具を差し込んだ状態を示す平面図、（ｂ）は同側面図である。
【図３】ＰＰバンド等の比較的幅狭のバンドからなる巻付体によって荷物を結束する場合の補助具の使用例を示す平面図である。
【図４】ＰＰバンド等の比較的幅狭のバンドからなる巻付体によって荷物を結束する場合の補助具の使用例を示す側面図である。
【図５】（ａ）は図３のＢ部の拡大断面図、（ｂ）図３のＣ部の拡大断面図である。
【図６】補助具の変形例を示す平面図である。
【図７】（ａ）は積載物を巻付体で巻き付けた状態を示す斜視図、（ｂ）は巻付体の一例を示す斜視図である。
【符号の説明】
【００３２】
１      積載物
１Ａ    荷物
２      巻付体
１２      差込み部
１３      接当部
１５      第１係止部
１６      第２係止部
２８      規制部
【図１】
2005082204.tif 000003
【図２】
2005082204.tif 000004
【図３】
2005082204.tif 000005
【図４】
2005082204.tif 000006
【図５】
2005082204.tif 000007
【図６】
2005082204.tif 000008
【図７】
2005082204.tif 000009